(57)【特許請求の範囲】
【請求項１】
供給電力の異常低下を検知する機能を内部または外部に備えた１つの負荷装置と複数の交流電源との間に設けられ、上記負荷装置への電力供給源を何れか１つの交流電源から他の何れかの交流電源に切り換える電源切換装置において、
上記何れか１つの交流電源から上記負荷装置に電力を供給しているときには閉じられ、上記他の何れかの交流電源から上記負荷装置に電力を供給する際に開かれる第１の機械的スイッチ手段と、
上記他の何れかの交流電源から上記負荷装置に電力を供給しているときには閉じられ、上記何れか１つの交流電源から上記負荷装置に電力を供給する際に開かれる第２の機械的スイッチ手段と、
上記第１および第２の機械的スイッチ手段の一方を閉から開に切り換えると共に他方を開から閉に切り換える電源切換動作が生じたことを検知するための電源切換検知手段と、
上記第１及び第２の機械的スイッチ手段と上記負荷装置との間に設けられた出力遮断手段と、
上記電源切換動作が生じたことを上記電源切換検知手段により検知し、上記負荷装置への電力供給を、少なくとも、上記負荷装置側が供給電力の異常低下を検出するのに要する時間の間、上記出力遮断手段により強制的に遮断する制御手段とを備えたことを特徴とする電源切換装置。
【請求項２】
前記制御手段は、前記電源切換動作が生じた時点からの経過時間を測定するためのタイマ回路と、当該タイマ回路による測定時間が予め設定された時間になるまで前記負荷装置への電力供給を遮断するように前記出力遮断手段を駆動する駆動回路とを備えることを特徴とする請求項１記載の電源切換装置。
【請求項３】
供給電力の異常低下を検知する機能を内部または外部に備えた１つの負荷装置と複数の交流電源との間に設けられ、上記負荷装置への電力供給源を何れか１つの交流電源から他の何れかの交流電源に切り換える電源切換装置において、
上記何れか１つの交流電源から上記負荷装置に電力を供給しているときには閉じられ、上記他の何れかの交流電源から上記負荷装置に電力を供給する際に開かれる第１の機械的スイッチ手段と、
上記他の何れかの交流電源から上記負荷装置に電力を供給しているときには閉じられ、上記何れか１つの交流電源から上記負荷装置に電力を供給する際に開かれる第２の機械的スイッチ手段と、
上記第１および第２の機械的スイッチ手段の一方を閉から開に切り換えると共に他方を開から閉に切り換える電源切換動作が生じたことを検知するための電源切換検知手段と、
上記第１及び第２の機械的スイッチ手段と上記負荷装置との間に設けられた出力遮断手段と、を備え、
上記電源切換検知手段は、高周波発振器で駆動される一次側回路と、当該一次側回路による誘導電力を上記第１および第２の機械的スイッチ手段にそれぞれ印加する二次側回路と、上記第１および第２の機械的スイッチ手段の開閉状態に応じて変化する上記一次側回路のインピーダンスの変化に基づいて、上記電源切換動作が生じたことを検知するための検知回路とを有し、
その検知によって上記出力遮断手段を動作させることを特徴とする電源切換装置。
【請求項４】
前記検知回路は、前記第１および第２の機械的スイッチ手段の両方が共に開かれたときに前記一次側回路に接続された抵抗の両端から得られる検知電圧値と、予め定められた参照電圧値とを比較する比較回路を有していることを特徴とする請求項３記載の電源切換装置。
【発明の詳細な説明】
【０００１】
【発明の属する技術分野】
本発明は、負荷装置に電力供給を行っている交流電源が断たれたとき、他の交流電源に切り換える電源切換装置に関する。
【０００２】
【従来の技術】
図３に、従来の電源切換装置の構成を示す。この電源切換装置３１は、商用電源３２と負荷装置３３とを導通させるための第１の電磁開閉器３４と、発電機３５と負荷装置３３とを導通させるための第２の電磁開閉器３６とを有している。そして、正常時すなわち商用電源３２の非停電時には、第１の電磁開閉器３４を閉じて、商用電源３２からの交流電力を負荷装置３３に供給し、商用電源３２の停電時には、第２の電磁開閉器３６を閉じて、発電機３５からの交流電力を負荷装置３３に供給することにより、商用電源３２の停電時にも負荷装置３３に電力を供給できるようにしている。
【０００３】
また、負荷装置３３は、自らを保護するために供給電力の異常低下を検知する機能を備えている。すなわち、負荷装置３３は、供給電力の異常低下を検知すると、緊急停止して破損や事故を防止したり、あるいは図示しない無停電電源装置（ＵＰＳ：Uninterruptible Power Supply）を作動させて電力供給の瞬断による停止を防止したりする機能を有している。
【０００４】
【発明が解決しようとする課題】
ところで、電源切換装置３１の電源切換動作の際、短い時間ではあるが、第１および第２の電磁開閉器３４，３６が両方とも開いた時間が生じる。
【０００５】
すなわち、図４に示すように、第１の電磁開閉器３４を閉から開に切り換え、第２の電磁開閉器３６を開から閉に切り換える電源切換動作の際には、第１の電磁開閉器３４が開いた時点Ｔ1と第２の電磁開閉器３６が閉じた時点Ｔ2との間にタイムラグΔＴ1（＝Ｔ2−Ｔ1）が生じる。
【０００６】
また、第２の電磁開閉器３６を閉から開に切り換え、第１の電磁開閉器３４を開から閉に切り換える接点切換動作の際には、第２の電磁開閉器３６が開いた時点Ｔ3と第１の電磁開閉器３４が閉じた時点Ｔ4との間にタイムラグΔＴ2（＝Ｔ4−Ｔ3）が生じる。
【０００７】
これらのとき、負荷装置３３には商用電源３２と発電機３５のどちらからも電力が供給されないため、本来であれば負荷装置３３の入力電圧Ｖ1はゼロになるはずであるが、実際には入力電圧Ｖ1がゼロに降下しない場合がある。このような場合として、負荷装置３３が回生動作をするもの、すなわち入力電圧Ｖ1が低下したときにその低下分を自装置内から戻す機能を有するものである場合や、負荷装置３３の入力側に設けられたコンデンサ３７やコイルに蓄積された電力の影響で入力電圧Ｖ1が維持される場合などがあげられる。
【０００８】
このような場合、負荷装置３３側からは、商用電源３２と発電機３５のどちらからも電力が供給されなくなったにもかかわらず、入力異常が検知されない。このため、電力供給源が無停電電源装置に切り換わらない。
【０００９】
また、上述した接点切換動作におけるタイムラグΔＴ1，ΔＴ2、すなわち商用電源３２および発電機３５からの電力供給が絶たれる時間（瞬断時間）が、入力異常を負荷装置３３が検出するのに要する時間Ｔ0よりも短い場合も、負荷装置３３側によって、商用電源３２および発電機３５からの電力供給の瞬断が検出されない。このため、電力供給源が無停電電源装置に切り換わらない。
【００１０】
そして、いずれの場合も、電源切換装置３１の電源切換動作が終了した時点で、負荷装置３３への電力供給源が、商用電源３２と発電機３５の一方から他方に単に切り換わることになる。
【００１１】
このとき、商用電源３２と発電機３５を切り換える前と後とで、負荷装置３３への入力電圧の位相が変わらなければ、負荷装置３３は電源の切り換えによって何ら支障を来すことなく運転し続けることができる。
【００１２】
しかし、商用電源３２と発電機３５とを互いに同期を取って運転するといったことは通常は行われないため、電源を切り換える前と後とで、負荷装置３３への入力電圧の位相が変化することになる。その結果、負荷装置３３は、装置内の交流位相との位相ずれが生じている電流、すなわち、急激な変化を伴う電流の流入により支障を来すことになる。特に、電源を切り換える前と後とでの負荷装置３３への入力電力の位相が互いに逆位相になった場合、短絡などの重大な事故が発生し、負荷装置３３のみならず電源側にも障害を及ぼすことがある。
【００１３】
本発明は、このような事情の下に創案されたものであり、電源切換動作時における電力供給の瞬断を負荷装置に確実に検知させて、負荷装置を保護することができる電源切換装置を提供することを目的とする。
【００１４】
【課題を解決するための手段】
上記課題を解決するために、本発明の電源切換装置は、供給電力の異常低下を検知する機能を内部または外部に備えた１つの負荷装置と複数の交流電源との間に設けられ、負荷装置への電力供給源を何れか１つの交流電源から他の何れかの交流電源に切り換える電源切換装置において、何れか１つの交流電源から負荷装置に電力を供給しているときには閉じられ、他の何れかの交流電源から負荷装置に電力を供給する際に開かれる第１の機械的スイッチ手段と、他の何れかの交流電源から負荷装置に電力を供給しているときには閉じられ、何れか１つの交流電源から負荷装置に電力を供給する際に開かれる第２の機械的スイッチ手段と、第１および第２の機械的スイッチ手段の一方を閉から開に切り換えると共に他方を開から閉に切り換える電源切換動作が生じたことを検知するための電源切換検知手段と、第１及び第２の機械的スイッチ手段と負荷装置との間に設けられた出力遮断手段と、電源切換動作が生じたことを電源切換検知手段により検知し、負荷装置への電力供給を、少なくとも、負荷装置が供給電力の異常低下を検出するのに要する時間の間、出力遮断手段により強制的に遮断する制御手段とを備えている。
【００１５】
このように構成された本発明の電源切換装置は、負荷装置に電力供給を行っている交流電源に異常が生じた時などにおいて、負荷装置への電力供給源を他の何れかの交流電源に切り換えるべく電源切換動作を行うとともに、負荷装置への電力供給を、負荷装置が供給電力の異常低下を検出するのに要する時間以上の間強制的に遮断する。
【００１６】
したがって、本発明の電源切換装置によれば、電源切換動作時における電力供給の瞬断を負荷装置に確実に検知させて、負荷装置を保護することができる。
【００１７】
本発明の電源切換装置において、制御手段は、電源切換動作が生じた時点からの経過時間を測定するためのタイマ回路と、このタイマ回路による測定時間が予め設定された時間になるまで負荷装置への電力供給を遮断するように出力遮断手段を駆動する駆動回路とを備えることが望ましい。
【００１８】
このような構成を採用すると、タイマ回路によって遮断時間が正確に制御され、負荷装置は供給電力の異常低下を確実に検出できることとなる。
【００１９】
また、他の発明の電源切換装置は、供給電力の異常低下を検知する機能を内部または外部に備えた１つの負荷装置と複数の交流電源との間に設けられ、負荷装置への電力供給源を何れか１つの交流電源から他の何れかの交流電源に切り換える電源切換装置において、何れか１つの交流電源から負荷装置に電力を供給しているときには閉じられ、他の何れかの交流電源から負荷装置に電力を供給する際に開かれる第１の機械的スイッチ手段と、他の何れかの交流電源から負荷装置に電力を供給しているときには閉じられ、何れか１つの交流電源から負荷装置に電力を供給する際に開かれる第２の機械的スイッチ手段と、第１および第２の機械的スイッチ手段の一方を閉から開に切り換えると共に他方を開から閉に切り換える電源切換動作が生じたことを検知するための電源切換検知手段と、第１及び第２の機械的スイッチ手段と負荷装置との間に設けられた出力遮断手段と、を備え、電源切換検知手段は、高周波発振器で駆動される一次側回路と、この一次側回路による誘導電力を第１および第２の機械的スイッチ手段にそれぞれ印加する二次側回路と、第１および第２の機械的スイッチ手段の開閉状態に応じて変化する一次側回路のインピーダンスの変化に基づいて、電源切換動作が生じたことを検知するための検知回路とを有し、その検知によって出力遮断手段を動作させている。
【００２０】
このように構成された本発明の電源切換装置は、負荷装置に電力供給を行っている交流電源に異常が生じた時などにおいて、負荷装置への電力供給源を他の何れかの交流電源に切り換えるべく電源切換動作を行うとともに、電源切換動作時における電力供給の瞬断を負荷装置に確実に検知させて、負荷装置を保護することができる。
【００２１】
また、検知回路は、第１および第２の機械的スイッチ手段の両方が共に開かれたときに一次側回路に接続された抵抗の両端から得られる検知電圧値と、予め設定された参照電圧値とを比較する比較回路を有していることが望ましい。
【００２２】
この発明では、一次側回路のインピーダンス変化を抵抗と比較回路からなる簡単な回路を設けることで検知でき、しかも、２つの機械的スイッチ手段が同時に開となった状態をこの回路によって瞬時にかつ確実に検知できることとなる。
【００２３】
【発明の実施の形態】
以下、本発明の好適な実施の形態を図面に基づいて説明する。図１は、本発明の実施の形態にかかる電源切換装置の構成を示す回路図である。
【００２４】
この実施の形態に示す電源切換装置１は、商用電源（交流電源）２に接続された入力端子３と、発電機（交流電源）４に接続された入力端子５と、負荷装置６に接続された出力端子７とを有している。負荷装置６側は、供給電力が異常低下したときに、これを自ら検知し、図示しない無停電電源装置から電力供給を受けるなどして停止その他の障害を防止する保護機能を有している。
【００２５】
電源切換装置１の内部には、第１の電磁開閉器８と、第２の電磁開閉器９と、電源切換検知回路１０と、出力遮断回路１１と、制御回路１２とが設けられている。
【００２６】
第１の電磁開閉器８は、商用電源２から負荷装置６に電力を供給しているときには閉じられ、発電機４から負荷装置６に電力を供給する際に開かれる第１の機械的スイッチ手段である。
【００２７】
第２の電磁開閉器９は、発電機４から負荷装置６に電力を供給しているときには閉じられ、商用電源２から負荷装置６に電力を供給する際に開かれる第２の機械的スイッチ手段である。
【００２８】
電源切換検知回路１０は、第１および第２の電磁開閉器８，９の一方を閉から開に切り換えると共に他方を開から閉に切り換える電源切換動作が生じたことを検知するための電源切換検知手段である。
【００２９】
この例では、電源切換検知回路１０は、発振回路となる高周波発振器１５で駆動される一次側回路１６と、この一次側回路１６による誘導電力を第１および第２の電磁開閉器８，９の主接点８ａ，９ａにそれぞれ印加する二次側回路１７，１８とからなる高周波トランス２４と、第１および第２の電磁開閉器８，９の開閉状態に応じて高周波発振器側から見たインピーダンスが変化して電流値が変化し、その結果、一次側回路１６（高周波発振器１５）に接続された抵抗２２の両端電圧が変化することに基づいて、電源切換動作が生じたことを検知するための比較回路（検知回路）１９とを備えている。
【００３０】
比較回路１９は、一次側回路１６に接続された抵抗２２の両端に生ずる検知電圧値Ｖsと予め定められた参照電圧値Ｖrとを比較し、検知電圧値Ｖsが参照電圧値Ｖr以下になったら検出信号Ｓｇを出力するように構成されている。参照電圧値Ｖrは、第１および第２の電磁開閉器８，９の両方が共に開かれたときに抵抗２２の両端から得られる検知電圧値Ｖs0と、第１及び第２の電磁開閉器８，９の一方が閉じているときの抵抗２２の両端から得られる検知電圧値ＶSLの中間値である検知電圧値ＶSMに設定されている。
【００３１】
一次側回路１６側には、上述したように、一次側回路１６のインピーダンスの変化によって変化する検知電圧値Ｖsを検出するための抵抗２２が、電源Ｖｃｃに関し、高周波発振器１５（一次側回路１６）と直列に設けられている。また、二次側回路１７，１８には、高周波の交流を通過させるが低周波（商用電源２程度のサイクル）の交流は通過させないようにするためと、それぞれの回路１７，１８に流れる電流の直流成分を遮断し高周波トランス２４の偏磁を防止するために、小容量のコンデンサ２０，２１が設けられている。
【００３２】
出力遮断回路１１は、第１及び第２の電磁開閉器８，９から負荷装置６への電力供給経路に設けられた出力遮断手段である。出力遮断回路１１は、一対のサイリスタ１１ａ，１１ｂが互いに逆並列に接続してなる構成となっている。
【００３３】
出力遮断回路１１の入力側には、コンデンサ２３が設けられている。このコンデンサ２３は、従来の電源切換装置３１と負荷装置３３との間に並列に設けられたコンデンサ３７と同種のものである。コンデンサ３７の代わりに直列にコイルが設けられる場合もある。
【００３４】
制御回路１２は、電源切換動作が生じたことを電源切換検知回路１０により検知し、負荷装置６への電力供給を、少なくとも、負荷装置６側が供給電力の異常低下を検出するのに要する時間Ｔ0の間、出力遮断回路１１により強制的に遮断する制御手段である。
【００３５】
この例では、制御回路１２は、電源切換動作が生じた時点からの経過時間を測定するためのタイマ回路１３と、このタイマ回路１３による測定時間が設定時間Ｔになるまで負荷装置６への電力供給を遮断するように出力遮断回路１１を駆動する駆動回路１４とを備えている。設定時間Ｔは、負荷装置６が供給電力の異常低下を検出するのに要する時間Ｔ0以上に設定されている。
【００３６】
次に、上記のように構成された電源切換装置１の動作について説明する。
【００３７】
図２の動作説明図に示すように、電源切換装置１は、正常時すなわち商用電源２の非停電時には、第１の電磁開閉器８を閉、第２の電磁開閉器９を開に保って、商用電源２から負荷装置６に交流電力を供給する。一方、非常時、すなわち商用電源２の停電時には、第１の電磁開閉器８を閉から開に切り換えるとともに、第２の電磁開閉器９を開から閉に切り換える電源切換動作を行って、負荷装置６への電力供給源を発電機４に切り換える。
【００３８】
そして、商用電源２が復旧したら、第２の電磁開閉器９を閉から開に切り換えるとともに、第１の電磁開閉器８を開から閉に切り換える電源切換動作を行って、負荷装置６への電力供給源を再び商用電源２に切り換える。これらの電源切換動作は、図示しない接点切換回路によって行われる。
【００３９】
電源切換動作の際、第１および第２の電磁開閉器８，９が両方とも開いた時間が生じる。図２において△Ｔ１，△Ｔ２で示す部分がこの時間に相当する。この時、一次側回路１６側の抵抗２２の両端から得られる検知電圧値Ｖsは、最小値Ｖs0になる。これは、両電磁開閉器８，９が開いていると、二次側回路１７，１８には電流が流れず、高周波発振器１５から一次側回路１６側を見た場合、インピーダンスが大きくなるため、抵抗２２の両端から得られる電圧としては小さくなるためである。なお、第１および第２の電磁開閉器８，９の一方が開き、他方が閉じた状態では、二次側回路に電圧が誘起され電流が流れる。この状態は、高周波発振器１５から見ると、一次側回路１６から二次側回路１７，１８のいずれか一方に電流が流れたこととなり、一次側回路１６のインピーダンスが小さくなったことを意味する。この結果、検知電圧値Ｖsは、参照電圧値Ｖrより大きくなる。
【００４０】
比較回路１９は、一次側回路１６に接続される抵抗２２の両端から得られる検知電圧値Ｖsと参照電圧値Ｖrとを比較し、検知電圧値Ｖsが参照電圧値Ｖr（＝ＶSM）以下になったら検知信号Ｓｇを出力する。これにより、第１および第２の電磁開閉器８，９が両方とも開いたこと、すなわち電源切換動作が生じたことが検知される。検知信号Ｓｇは、制御回路１２に入力される。
【００４１】
制御回路１２は、検出信号Ｓｇを受け取ると、タイマ回路１３によりその時点からの経過時間の測定を開始すると同時に、駆動回路１４により出力遮断回路１１のサイリスタ１１ａ，１１ｂを瞬時にオフする。すなわち、出力遮断回路１１は、負荷装置６への電力供給を電源切換動作が生じたら瞬時に遮断する。そして、当該経過時間が設定時間Ｔになったら、駆動回路１４により出力遮断回路１１のサイリスタ１１ａ，１１ｂをオンし、負荷装置６への電力供給を再開する。
【００４２】
負荷装置６は、電力供給の再開前に次のように動作する。すなわち、時間Ｔ0が経過した段階で、負荷装置６側は、供給電力の異常低下を検出し、図示しない無停電電源装置からの電力供給を受けると共に運転モードが変えられる。運転モードを変える代わりに、負荷装置６を停止させても良い。なお、この供給電力の異常低下検出は、無停電電源装置に行わせるのが好ましいが、負荷装置６自体にその検知機能を持たせるようにしても良い。
【００４３】
このように、この実施の形態の電源切換装置１は、負荷装置６に電力供給を行っている一方の交流電源に異常が生じたら、負荷装置６への電力供給源を他方の交流電源に切り換えるべく電源切換動作を行うとともに、負荷装置６への電力供給を瞬時に遮断する。そして、電源切換動作開始時点からの経過時間が設定時間Ｔ、すなわち負荷装置６側が供給電力の異常低下を検出するのに要する時間Ｔ0以上になるまでは、電源切換動作が終了しても、負荷装置６への電力供給を再開しない。
【００４４】
したがって、この実施の形態の電源切換装置１によれば、電源切換動作時における電力供給の瞬断を負荷装置６側に確実に検知させて、負荷装置６を保護することができる。
【００４５】
すなわち、入力電源の切換時に、切換前の位相と異なった位相が入力されても、その異なった位相の入力が開始される前までに、負荷装置６への電源供給を一旦完全に断ち、その後しばらくしてからその異なった位相の入力が開始されることとなるので、負荷装置６の運転モードを変えたり、停止させたりする余裕が生じ負荷装置６を保護することができる。
【００４６】
また、負荷装置６側の入力異常検出が遅い場合であっても、電源切換装置１によって高速にて切換を検出し、負荷装置６への電源供給を停止し、その電圧断時間を長くすることができるので、負荷装置６を無停電電源装置にて動作させることが可能となり、その無停電電源装置によって完全な退避が可能となる。
【００４７】
また、第１および第２の電磁開閉器８，９の開閉状態の変化に連動させて入力異常を検出しているため、切換時の瞬断を高速かつ正確に検出できる。すなわち、一次側回路１６に接続される抵抗２２から得られる検知電圧値Ｖsに基づいて、電源切換動作が生じたことを検知するようにしたので、第１および第２の電磁開閉器８，９の開閉動作に連動して、電源切換動作が生じたことを瞬時にかつ正確に検知でき、負荷装置６への電力供給を確実に遮断することができる。
【００４８】
なお、上記の実施の形態では、交流電源が２系統の場合、すなわち、商用電源２と発電機４がそれぞれ１つずつの場合を例にとり説明したが、交流電源が３系統以上の場合にも本発明が適用可能であることはいうまでもない。
【００４９】
たとえば、交流電源が３系統の場合、上記の実施の形態の構成に、更に１つの電磁開閉器とこれに接続されたさらに１つの二次側回路とを付け加えることにより対応可能である。交流電源が３系統以上の場合、３つ以上の電磁開閉器のうち、１回毎の電源切換動作に関わる２つの電磁開閉器の一方が第１の電磁開閉器、他方が第２の電磁開閉器となる。
【００５０】
また、上述の実施の形態では、第１の電磁開閉器８の主接点８ａ，８ａや、第２の電磁開閉器９の主接点９ａ，９ａに、二次側回路１７，１８を接続しているが、第１および第２の電磁開閉器８，９が主接点に加え、その動作に連動している補助接点を有している場合は、二次側回路１７，１８を第１および第２の電磁開閉器８，９の当該補助接点に接続してもよい。
【００５１】
また、機械的スイッチ手段としては、電磁開閉器８，９の代わりに、リレー等の他の機械的スイッチ手段を有する断続器を使用しても良い。また、制御回路１２としては、タイマ回路１３を設けずに、単に出力遮断回路１１を遮断させる駆動回路１４のみを有するようにしても良い。この場合、出力遮断回路１１の復帰は、負荷装置６側からの信号や手動にて行わせることができる。また、交流電源の異常時ではなく、必要に応じ手動にて負荷装置６への電力供給を切り換える場合等にも本発明を適用することができる。
【００５２】
【発明の効果】
以上説明したように、本発明の電源切換装置によれば、交流電源の電源切換動作を行う際に、負荷装置への電力供給を、負荷装置側が供給電力の異常低下を検出するのに要する時間以上の間、強制的に遮断するようにしている。また、他の発明の電源切換装置によれば、交流電源の電源切換動作を行う際に、機械的スイッチ手段に対して高周波電力を印加して電源切換動作が生じたか否かを検知し、その検知によって出力遮断手段を動作させている。このような構成のため、電源切換動作時における電力供給の瞬断を負荷装置側が確実に検知でき、負荷装置を保護することができる。
【図面の簡単な説明】
【図１】本発明の実施の形態にかかる電源切換装置の構成を示す回路図である。
【図２】本発明の実施の形態にかかる電源切換装置の動作説明図である。
【図３】従来の電源切換装置の構成を示す回路図である。
【図４】従来の電源切換装置の動作説明図である。
【符号の説明】
１：電源切換装置
２：商用電源
４：発電機
６：負荷装置
８：第１の電磁開閉器（第１の機械的スイッチ手段）
９：第２の電磁開閉器（第２の機械的スイッチ手段）
１０：電源切換検知回路（電源切換検知手段）
１１：出力遮断回路（出力遮断手段）
１２：制御回路（制御手段）
１５：高周波発振器（発振回路）
１６：一次側回路
１７：二次側回路
１８：二次側回路
１９：比較回路
Ｖs：検知電圧値
Ｖr：参照電圧値
【図１】
0003741649.tif 000002
【図２】
0003741649.tif 000003
【図３】
0003741649.tif 000004
【図４】
0003741649.tif 000005